(57)【要約】【課題】本発明の目的は、集積回路が形成された半導体基板にクラックが発生するのを防止することにある。【解決手段】半導体基板１０には、集積回路１２が形成され、集積回路１２に電極１４が電気的に接続されている。半導体基板１０の電極１４が形成された面の、集積回路１２とオーバーラップする第１の領域２０に第１の樹脂層３０が形成されている。電極１４に電気的に接続されて第１の樹脂層３０上に配線４０が形成されている。半導体基板１０の面の、第１の領域２０を外側で囲む第２の領域２２に、第１の樹脂層３０とは間隔をあけて第２の樹脂層３２が形成されている。【選択図】図１
2008205292.tif 000002
【特許請求の範囲】
【請求項１】
集積回路が形成され、前記集積回路に電気的に接続された電極を有する半導体基板と、
前記半導体基板の前記電極が形成された面の、前記集積回路とオーバーラップする第１の領域に形成された第１の樹脂層と、
前記電極に電気的に接続されて前記第１の樹脂層上に形成された配線と、
前記半導体基板の前記面の、前記第１の領域を囲む第２の領域に、前記第１の樹脂層とは間隔をあけて形成された第２の樹脂層と、
を有する半導体装置。
【請求項２】
請求項１に記載された半導体装置において、
前記第２の樹脂層は、前記第１の樹脂層よりも低く形成されてなる半導体装置。
【請求項３】
請求項１又は２に記載された半導体装置において、
前記第２の樹脂層は、前記第２の領域全体に連続的に配置されてなる半導体装置。
【請求項４】
請求項１又は２に記載された半導体装置において、
前記第２の樹脂層は、断片的に配置されてなる半導体装置。
【請求項５】
請求項１から４のいずれか１項に記載された半導体装置において、
前記第２の樹脂層は、前記半導体基板の周縁に接するように配置されている半導体装置。
【請求項６】
請求項５に記載された半導体装置において、
前記半導体基板の前記周縁は矩形をなし、少なくとも角部に前記第２の樹脂層が配置されてなる半導体装置。
【請求項７】
請求項１から６のいずれか１項に記載された半導体装置において、
前記配線は、前記電極から前記第１の樹脂層を超えて第２の樹脂層上に至るように形成されている半導体装置。
【請求項８】
複数の集積回路が間隔をあけて形成されてそれぞれの前記集積回路に電気的に接続された電極が形成された半導体基板を用意する工程と、
前記複数の集積回路とそれぞれオーバーラップする複数の第１の領域に第１の樹脂層を形成し、それぞれの前記第１の領域を外側で囲む第２の領域に前記第１の樹脂層とは間隔をあけて第２の樹脂層を形成する工程と、
前記第１の樹脂層上に、前記電極と電気的に接続する配線を形成する工程と、
前記半導体基板を、隣り合う前記第１の領域の間で、前記第２の樹脂層の少なくとも一部が前記第２の領域に付着して残るように、複数の半導体チップに切断する工程と、
を含む半導体装置の製造方法。
【請求項９】
請求項８に記載された半導体装置の製造方法において、
前記第２の樹脂層を、前記半導体基板の、前記半導体基板を切断する工程で切断する切削領域を避けて形成する半導体装置の製造方法。
【請求項１０】
請求項８に記載された半導体装置の製造方法において、
前記半導体基板を切断する工程は、前記第２の樹脂の一部を切削しながら行う半導体装置の製造方法。
【請求項１１】
請求項８から１０のいずれか１項に記載された半導体装置の製造方法において、
前記第１の樹脂層を形成する工程は、熱硬化性の第１の樹脂前駆体層を形成して前記第１の樹脂前駆体層を加熱することを含み、
前記第２の樹脂層を形成する工程は、熱硬化性の第２の樹脂前駆体層を形成して前記第２の樹脂前駆体層を加熱することを含み、
前記第１及び第２の樹脂前駆体層を、同じ高さであって、前記第２の樹脂前駆体層の単位体積当りの表面積が前記第１の樹脂前駆体よりも大きくなるように同時に形成し、
前記第１及び第２の樹脂前駆体層を同時に加熱し、単位体積当りの表面積が大きいことによって前記第２の樹脂前駆体層の単位体積当りの熱量を大きくして、前記第２の樹脂前駆体層の硬化前の一時的な軟化の程度を高めて自重によって低くして、前記第２の樹脂層の高さを前記第１の樹脂層よりも低くする半導体装置の製造方法。
【請求項１２】
請求項８から１０のいずれか１項に記載された半導体装置の製造方法において、
前記配線を形成する工程で、１つの前記第１の樹脂層上に、相互に間隔をあけて複数の前記配線を形成し、
前記第１の樹脂層の、前記複数の配線間の部分をエッチングする工程をさらに含み、
前記エッチングする工程で、同時に、前記第２の樹脂層をエッチングして低くする半導体装置の製造方法。
【発明の詳細な説明】
【技術分野】
【０００１】
本発明は、半導体装置及びその製造方法に関する。
【背景技術】
【０００２】
能動面に形成された樹脂層と、電極パッドの表面から樹脂層の表面にかけて配設された配線と、を備える半導体装置が知られている（特許文献１）。樹脂層とその上の配線は外部端子を構成している。外部端子は、ハンダボールで形成する外部端子よりも狭いピッチで形成することができ、樹脂層によって応力の吸収も可能である。その製造方法では、半導体ウエハのダイシングは、樹脂層及び配線等の形成後に行われる。したがって、ダイシングされて得られた半導体チップにクラックが生じて不良品になった場合、樹脂層及び配線も無駄になるので歩留まりが悪くなる。近年、小型化の要求から、集積回路の近くにスクライブラインを設定してあることが多く、その場合、クラックが集積回路に至りやすい。したがって、クラック発生の防止策が要望されている。
【特許文献１】特開２００６−１２８３６４号公報
【発明の開示】
【発明が解決しようとする課題】
【０００３】
本発明の目的は、集積回路が形成された半導体基板にクラックが発生するのを防止することにある。
【課題を解決するための手段】
【０００４】
（１）本発明に係る半導体装置は、
集積回路が形成され、前記集積回路に電気的に接続された電極を有する半導体基板と、
前記半導体基板の前記電極が形成された面の、前記集積回路とオーバーラップする第１の領域に形成された第１の樹脂層と、
前記電極に電気的に接続されて前記第１の樹脂層上に形成された配線と、
前記半導体基板の前記面の、前記第１の領域を囲む第２の領域に、前記第１の樹脂層とは間隔をあけて形成された第２の樹脂層と、
を有する。本発明によれば、集積回路とオーバーラップする領域を外側で囲むように第２の樹脂層が形成してあるので、第２の樹脂層によって、クラックが発生することを集積回路の外側で防止することができる。
（２）この半導体装置において、
前記第２の樹脂層は、前記第１の樹脂層よりも低く形成されていてもよい。
（３）この半導体装置において、
前記第２の樹脂層は、前記第２の領域全体に連続的に配置されていてもよい。
（４）この半導体装置において、
前記第２の樹脂層は、断片的に配置されていてもよい。
（５）この半導体装置において、
前記第２の樹脂層は、前記半導体基板の周縁に接するように配置されていてもよい。
（６）この半導体装置において、
前記半導体基板の前記周縁は矩形をなし、少なくとも角部に前記第２の樹脂層が配置されていてもよい。
（７）この半導体装置において、
前記配線は、前記電極から前記第１の樹脂層を超えて第２の樹脂層上に至るように形成されていてもよい。
（８）本発明に係る半導体装置の製造方法は、
複数の集積回路が間隔をあけて形成されてそれぞれの前記集積回路に電気的に接続された電極が形成された半導体基板を用意する工程と、
前記複数の集積回路とそれぞれオーバーラップする複数の第１の領域に第１の樹脂層を形成し、それぞれの前記第１の領域を外側で囲む第２の領域に前記第１の樹脂層とは間隔をあけて第２の樹脂層を形成する工程と、
前記第１の樹脂層上に、前記電極と電気的に接続する配線を形成する工程と、
前記半導体基板を、隣り合う前記第１の領域の間で、前記第２の樹脂層の少なくとも一部が前記第２の領域に付着して残るように、複数の半導体チップに切断する工程と、
を含む。本発明によれば、集積回路とオーバーラップする領域を外側で囲むように第２の樹脂層を形成するので、第２の樹脂層によって、クラックが発生することを集積回路の外側で防止することができる。
（９）この半導体装置の製造方法において、
前記第２の樹脂層を、前記半導体基板の、前記半導体基板を切断する工程で切断する切削領域を避けて形成してもよい。
（１０）この半導体装置の製造方法において、
前記半導体基板を切断する工程は、前記第２の樹脂の一部を切削しながら行ってもよい。
（１１）この半導体装置の製造方法において、
前記第１の樹脂層を形成する工程は、熱硬化性の第１の樹脂前駆体層を形成して前記第１の樹脂前駆体層を加熱することを含み、
前記第２の樹脂層を形成する工程は、熱硬化性の第２の樹脂前駆体層を形成して前記第２の樹脂前駆体層を加熱することを含み、
前記第１及び第２の樹脂前駆体層を、同じ高さであって、前記第２の樹脂前駆体層の単位体積当りの表面積が前記第１の樹脂前駆体よりも大きくなるように同時に形成し、
前記第１及び第２の樹脂前駆体層を同時に加熱し、単位体積当りの表面積が大きいことによって前記第２の樹脂前駆体層の単位体積当りの熱量を大きくして、前記第２の樹脂前駆体層の硬化前の一時的な軟化の程度を高めて自重によって低くして、前記第２の樹脂層の高さを前記第１の樹脂層よりも低くしてもよい。
（１２）この半導体装置の製造方法において、
前記配線を形成する工程で、１つの前記第１の樹脂層上に、相互に間隔をあけて複数の前記配線を形成し、
前記第１の樹脂層の、前記複数の配線間の部分をエッチングする工程をさらに含み、
前記エッチングする工程で、同時に、前記第２の樹脂層をエッチングして低くしてもよい。
【発明を実施するための最良の形態】
【０００５】
（第１の実施の形態）
図１（Ａ）は、本発明の第１の実施の形態に係る半導体装置を示す平面図であり、図１（Ｂ）は、図１（Ａ）に示す半導体装置のIB-IB線断面図である。半導体装置は、半導体基板１０を有する。半導体基板１０は、図１（Ａ）に示す最終製品としての半導体装置においては半導体チップであるが、最終製品を得る前の段階では、半導体ウエハである。半導体ウエハを切断して半導体チップが得られる。半導体基板１０には、集積回路１２（半導体チップには１つの集積回路１２／半導体ウエハには複数の集積回路１２）が形成されている。半導体基板１０は、内部配線（図示せず）を介して集積回路１２に電気的に接続された電極１４を有する。半導体基板１０が一方向に長い形状（平面形状が長方形）であって、長い方の辺に沿って、複数の電極１４が配列されている。半導体基板１０には、電極１４の少なくとも一部が露出する様にパッシベーション膜１６が形成されている。パッシベーション膜１６は、例えば、ＳｉＯ２やＳｉＮ等の無機材料のみで形成されていてもよい。パッシベーション膜１６は、集積回路１２の上方に形成されている。
【０００６】
半導体基板１０の電極１４が形成された面（パッシベーション膜１６上）は、第１及び第２の領域２０，２２を含む（あるいは、これらのみからなる）。第１の領域２０は、集積回路１２の少なくとも一部（例えば全部）とオーバーラップする。第１の領域２０は、半導体基板１０の面の周縁端部を除く領域であって中央部ということもできる。第２の領域２２は、第１の領域２０を外側で囲む。第２の領域２２は、半導体基板１０の面の周縁端部であってもよい。第２の領域２２の周縁が、半導体基板１０の面の周縁である。
【０００７】
第１の領域２０（その範囲内）に、第１の樹脂層３０が形成されている。半導体基板１０の端部に電極１４が形成され、電極１４よりも中央側に第１の樹脂層３０が形成されていてもよい。第２の領域２２（その範囲内）に、第１の樹脂層３０とは間隔をあけて、第２の樹脂層３２が形成されている。第１及び第２の樹脂層３０、３２の材料としては、例えばポリイミド樹脂、シリコーン変性ポリイミド樹脂、エポキシ樹脂、シリコーン変性エポキシ樹脂、ベンゾシクロブテン（ＢＣＢ；benzocyclobutene）、ポリベンゾオキサゾール（ＰＢＯ；polybenzoxazole）、フェノール系樹脂等の樹脂を用いてもよい。第１及び第２の樹脂層３０，３２は同一材料から構成されていてもよい。第２の樹脂層３２は、第１の樹脂層３０よりも低く形成されている。１つの第２の領域２２（例えばロ字状の領域）において、複数の第２の樹脂層３２が断片的に（間隔をあけて）配置されている。したがって、完成品としての半導体装置を実装するときに、電極１４が形成された面に設けた接着剤（非導電性接着剤又は異方性導電接着剤等）を、隣同士の第２の樹脂層３２間から排出することができる。第２の樹脂層３２は、半導体基板１０の周縁に接するように配置されていてもよいが、図１（Ａ）に示すように、周縁よりも内側に配置されてもよい。半導体基板１０の周縁は矩形をなし、少なくとも角部に第２の樹脂層３２が配置されている。
【０００８】
配線４０が、電極１４に電気的に接続されて第１の樹脂層３０上に形成されている。図２は、第１の樹脂層３０及び配線４０を示す斜視図である。配線４０は、電極１４上から、パッシベーション膜１６上を通って、第１の樹脂層３０上に至る。配線４０は、電極１４上で電極１４に電気的に接続している。配線４０と電極１４は直接接触していてもよいし、両者間に導電膜６０（図示せず）が介在していてもよい。第２の樹脂層３２が、第１の樹脂層３０よりも低く形成されているので、配線４０を外部端子として使用するときに、第２の樹脂層３２が妨げとならない。配線４０は、第１の樹脂層３０の、電極１４とは反対側の端部を越えて、パッシベーション膜１６上に至るように形成されている。図１（Ａ）に示す例では、半導体基板１０の端部に配置された電極１４から中央方向へ配線４０が延びている。
【０００９】
本実施の形態によれば、集積回路１２とオーバーラップする第１の領域２０を外側で囲むように第２の樹脂層３２が形成してあるので、第２の樹脂層３２によって、クラックが発生することを、集積回路１２の外側で防止することができる。
【００１０】
（製造方法）
図３（Ａ）〜図４（Ｃ）は、本発明の第１の実施の形態に係る半導体装置の製造方法を説明する図である。本実施の形態では、複数の集積回路１２が間隔をあけて形成されてそれぞれの集積回路１２に電気的に接続された電極１４が形成された半導体基板１０（半導体ウエハ）を用意する。その詳細は、上述した通りである。
【００１１】
図３（Ａ）に示すように、熱硬化性の樹脂前駆体層５０を形成し、図３（Ｂ）に示すようにこれをパターニングして、第１及び第２の樹脂前駆体層５１，５２を形成する。一体的な樹脂前駆体層５０から同時に形成するので、第１及び第２の樹脂前駆体層５１，５２の高さは同じになる。ただし、第１及び第２の樹脂前駆体層５１，５２は、第２の樹脂前駆体層５２の単位体積当りの表面積が第１の樹脂前駆体よりも大きくなるように形成する。第１及び第２の樹脂前駆体層５１，５２の側面の傾斜角度が均一（例えば垂直）であれば、第２の樹脂前駆体層５２の上面を第１の樹脂前駆体層５１の上面よりも小さくする。
【００１２】
第１及び第２の樹脂前駆体層５１，５２を加熱して、図３（Ｃ）に示すように、第１及び第２の樹脂層３０，３２を形成する。第１及び第２の樹脂前駆体層５１，５２を同時に加熱しても、単位体積当りの表面積が大きいことによって、第２の樹脂前駆体層５２の単位体積当りの熱量が大きくなる。その結果、第２の樹脂前駆体層５２は、硬化前の一時的な軟化の程度が第１の樹脂前駆体層５１よりも高まり、自重によって低くなり、第２の樹脂層３２の高さが第１の樹脂層３０よりも低くなる。
【００１３】
こうして、複数の集積回路１２とそれぞれオーバーラップする複数の第１の領域２０に第１の樹脂層３０を形成する。また、それぞれの第１の領域２０を外側で囲む第２の領域２２に第１の樹脂層３０とは間隔をあけて第２の樹脂層３２を形成する。図３（Ｃ）の例では、隣同士の第２の領域２２に配置された一対の第２の樹脂層３２は間隔をあけて配置されている。なお、複数の第２の領域２２の形状は、それぞれロ字状になっている。変形例として、複数の第２の領域２の形状が格子状になっていてもよい。本実施の形態では、第２の樹脂層３２（第２の樹脂前駆体層５２）は、半導体基板１０を切断するときの切削領域（スクライブラインのみならずダイサによって切削される全領域）を避けて形成する。第１及び第２の領域２０，２２並びに第１及び第２の樹脂層３０，３２のその他の詳細も上述した通りである。
【００１４】
図４（Ａ）に示すように、パッシベーション膜１６、電極１４並びに第１及び第２の樹脂層３０，３２上に導電膜６０を形成する。その形成にはスパッタリングを適用してもよい。導電膜６０は複数層で形成してもよい。
【００１５】
図４（Ｂ）に示すように、導電膜６０をパターニング（エッチング）して、配線４０を、電極１４に電気的に接続するように第１の樹脂層３０上に形成する。配線４０を形成する工程で、１つの第１の樹脂層３０上に、相互に間隔をあけて複数の配線４０を形成する（図１（Ａ）参照）。配線４０の詳細も上述した通りである。
【００１６】
なお、第１の樹脂層３０の、複数の配線４０間の部分（配線４０からの露出部分）をエッチングしてもよい（図２参照）。こうすることで、配線４０と第１の樹脂層３０の露出面との高さの差を大きくして電気的な接続を図りやすくなる。エッチングする工程で、同時に、第２の樹脂層３２をエッチングして低くしてもよい。
【００１７】
図４（Ｃ）に示すように、半導体基板１０を切断する。具体的には、半導体基板１０（半導体ウエハ）を、隣同士の第１の領域２０の間で、第２の樹脂層３２の少なくとも一部が第１の領域２０の外側に付着して残るように、複数の半導体チップに切断する。半導体基板１０を切断する工程を、第２の樹脂層３２を避けて（とくに間隔をあけて）行えば、残された第２の樹脂層３２が図４（Ｃ）に示すように半導体基板１０の縁から間隔をあけて配置される。変形例として、半導体基板１０を切断する工程を、第２の樹脂層３２の外周端部を切削しながら行えば、残された第２の樹脂層３２の縁が半導体基板１０の縁と面一になるように配置される。
【００１８】
本実施の形態によれば、集積回路１２とオーバーラップする領域を外側で囲むように第２の樹脂層３２を形成するので、第２の樹脂層３２によって、クラックが発生することを集積回路１２の外側で防止することができる。その他の詳細は、上述した半導体装置の構造から自明な製造方法であるため説明を省略する。
【００１９】
（第２の実施の形態）
図５は、本発明の第２の実施の形態に係る半導体装置を示す平面図である。本実施の形態では、半導体基板１１０の角部のみに第２の樹脂層１３２が配置されている点で第１の実施の形態と異なる。すなわち、４つの第２の樹脂層１３２のそれぞれが、矩形の半導体基板１１０の４つの角部のそれぞれに配置されている。半導体基板１１０の一辺の両端に位置する一対の第２の樹脂層１３２の間には、第２の樹脂層が形成されていない。この形態であっても、角部において半導体基板１１０を保護してクラックの発生を防止することができる。
【００２０】
本実施の形態では、半導体基板１１０の中央部に電極１１４が形成され、電極１１４よりも端部側に第１の樹脂層１３０が形成されている。また、半導体基板１１０の中央部に配置された電極１１４から端部方向へ配線１４０が延びている。電極１１４、第１の樹脂層１３０及び配線１４０の配置は、第１の実施の形態にも適用することができる。その他の詳細は、第１の実施の形態で説明した半導体装置及びその製造方法の説明が該当する。
【００２１】
（第３の実施の形態）
図６（Ａ）は、本発明の第３の実施の形態に係る半導体装置を示す平面図であり、図６（Ｂ）は、図６（Ａ）に示す半導体装置のVIB-VIB線断面図である。本実施の形態では、第２の樹脂層２３２は、第２の領域２２２に連続的に（途切れないように）配置されている。したがって、第２の樹脂層２３２はロ字状をなしている。また、配線２４０が、電極１１４から第１の樹脂層１３０を超えて第２の樹脂層２３２上に至るように形成されている。これによれば、配線２４０の、第２の樹脂層２３２上の部分をテストパッドとして使用し、プローブを当てて特性検査を行うことができる。
【００２２】
本実施の形態に係る製造方法では、半導体ウエハとしての半導体基板１１０を切断する工程を、第２の樹脂層２３２の一部を切削しながら行う。その前提として、第２の樹脂層２３２の一部を切削領域（又はスクライブライン）上に配置する。複数の集積回路２１２に対応する複数の第２の樹脂層２３２を、それぞれロ字状に形成してもよい。あるいは、格子状の樹脂層を形成し、複数の集積回路２１２をそれぞれ囲む複数のロ字状部分を複数の第２の樹脂層２３２と定義してもよい。この場合、隣同士の第２の領域２２２に位置する一対の第２の樹脂層２３２が接触して一体化されており、一対の第２の樹脂層２３２を分割するように、両者の隣接部分を切削する。本実施の形態では、第２の樹脂層２３２の縁が半導体基板１１０の縁と面一になるように配置される。また、配線２４０の縁も半導体基板１１０の縁と面一になるように配置される。この電極１１４、第１の樹脂層１３０及び配線２４０の配置は、第１の実施の形態にも適用することができる。その他の詳細は、第１及び第２の実施の形態で説明した半導体装置及びその製造方法の説明が該当する。
【００２３】
本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び結果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００２４】
【図１】図１（Ａ）は、本発明の第１の実施の形態に係る半導体装置を示す平面図であり、図１（Ｂ）は、図１（Ａ）に示す半導体装置のIB-IB線断面図である。
【図２】図２は、第１の樹脂層及び配線を示す斜視図である。
【図３】図３（Ａ）〜図３（Ｃ）は、本発明の第１の実施の形態に係る半導体装置の製造方法を説明する図である。
【図４】図４（Ａ）〜図４（Ｃ）は、本発明の第１の実施の形態に係る半導体装置の製造方法を説明する図である。
【図５】図５は、本発明の第２の実施の形態に係る半導体装置を示す平面図である。
【図６】図６（Ａ）は、本発明の第３の実施の形態に係る半導体装置を示す平面図であり、図６（Ｂ）は、図６（Ａ）に示す半導体装置のVIB-VIB線断面図である。
【符号の説明】
【００２５】
１０…半導体基板、  １２…集積回路、  １４…電極、  １６…パッシベーション膜、  ２０…第１の領域、  ２２…第２の領域、  ３０…第１の樹脂層、  ３２…第２の樹脂層、  ４０…配線、  ５０…樹脂前駆体層、  ５１…第１の樹脂前駆体層、  ５２…第２の樹脂前駆体層、  ６０…導電膜、  １１０…半導体基板、  １１４…電極、  １３０…第１の樹脂層、  １３２…第２の樹脂層、  １４０…配線、  ２２２…第２の領域、  ２３２…第２の樹脂層、  ２４０…配線
【図１】
2008205292.tif 000003
【図２】
2008205292.tif 000004
【図３】
2008205292.tif 000005
【図４】
2008205292.tif 000006
【図５】
2008205292.tif 000007
【図６】
2008205292.tif 000008